(57)【特許請求の範囲】
【請求項１】
洗濯機の制御方法であって、前記洗濯機は、
前記洗濯機の洗濯槽（１）から排出された水を濾過するように設置され、仕切られた第１入水チャンバーと第１濾水チャンバーを含み、前記第１入水チャンバーが入水口と汚水排出口を有する濾過膜モジュール（１２）と、
前記濾過膜モジュール（１２）の生成水管路（１３）に設置され、前記濾過膜モジュール（１２）により濾過された水を前記洗濯機の洗濯槽（１）内に戻して再使用するように、前記第１濾水チャンバー内の水を生成水管路（１３）内に吸引するように設置された吸引ポンプ（１４）と、
前記洗濯槽（１）と前記第１入水チャンバーの入水口との間の管路に設置され、前記洗濯槽（１）内の水を前記第１入水チャンバー内にポンピングするとともに、前記第１入水チャンバー内の水位を前記汚水排出口の下縁以下とするように設置された第１排水ポンプ（５）とを含み、
前記制御方法は、前記洗濯槽（１）内の水を前記濾過膜モジュール（１２）内に流入させて濾過するように、前記第１排水ポンプ（５）と吸引ポンプ（１４）をオンにし、吸引ポンプ（１４）が、前記濾過膜モジュール（１２）により濾過された水を前記洗濯槽（１）内に戻して再使用するよう、前記第１濾水チャンバー内に濾過された水を前記濾過膜モジュール（１２）の生成水管路（１３）内に吸引する循環水濾過ステップを含む、洗濯機の制御方法。
【請求項２】
前記洗濯機は、前記濾過膜モジュール（１２）を気体洗浄するように設置された気流供給装置を更に含み、
前記循環水濾過ステップにおいて、前記第１排水ポンプ（５）と吸引ポンプ（１４）をオンにする前に、
前記気流供給装置を閉状態に設定するステップを更に含む、請求項１に記載の洗濯機の制御方法。
【請求項３】
第１排水ポンプ（５）をオフにし、気流供給装置をオンにし、前記気流供給装置は、前記濾過膜モジュール（１２）へ送気することによって前記濾過膜モジュール（１２）を気体洗浄し、前記第１入水チャンバー内の気体と汚水は、前記第１入水チャンバーの汚水排出口を介して排出される濾過膜モジュール（１２）の気体洗浄汚水排出ステップを更に含む、請求項２に記載の洗濯機の制御方法。
【請求項４】
前記洗濯機は、前記第１排水ポンプ（５）より揚程が大きく、水を前記洗濯機の外部に排出するように、前記洗濯槽（１）内の水を前記洗濯機の排出管路（１０）にポンピングするように設置され、又は、前記洗濯槽（１）内の水を前記濾過膜モジュール（１２）内にポンピングして洗い流すとともに、洗い流した水を前記第１入水チャンバーの汚水排出口を介して前記洗濯機の排出管路（１０）から前記洗濯機の外部に排出するように設置された第２排水ポンプ（６）を更に含み、
前記制御方法は、第２排水ポンプ（６）をオンにし、第２排水ポンプ（６）が洗濯槽（１）内の水を前記濾過膜モジュール（１２）内にポンピングすることによって水洗し、前記第１入水チャンバー内の汚水を前記第１入水チャンバーの汚水排出口を介して排出する濾過膜モジュール（１２）の水洗汚水排出ステップを更に含む、請求項３に記載の洗濯機の制御方法。
【請求項５】
前記濾過膜モジュール（１２）の水洗汚水排出ステップは前記気体洗浄汚水排出ステップと同時に行い、又は前記水洗汚水排出ステップは前記気体洗浄汚水排出ステップの後に行う、請求項４に記載の洗濯機の制御方法。
【請求項６】
前記洗濯機は、前記濾過膜モジュール（１２）の上流管路に設置されたプレフィルタ（８）を更に含み、前記制御方法は、前記プレフィルタ（８）の気体洗浄汚水排出ステップ及び／又は水洗汚水排出ステップを更に含む、請求項１〜５のいずれか一項に記載の洗濯機の制御方法。
【請求項７】
前記プレフィルタ（８）の気体洗浄汚水排出ステップにおいて、前記第１排水ポンプ（５）をオフにし、気流供給装置をオンにし、前記気流供給装置は、前記プレフィルタ（８）へ送気することによって前記プレフィルタ（８）を気体洗浄し、気体と気体洗浄した汚水を排出管路（１０）を介して洗濯機から排出し、
前記プレフィルタ（８）の水洗汚水排出ステップにおいて、前記第２排水ポンプ（６）をオンにし、前記第２排水ポンプ（６）は、洗濯槽（１）内の水を前記プレフィルタ（８）にポンピングすることによって水洗し、水洗した汚水を排出管路（１０）を介して洗濯機から排出する、請求項６に記載の洗濯機の制御方法。
【請求項８】
当該洗濯機の洗濯槽（１）から排出された水を濾過するように設置され、仕切られた第１入水チャンバーと第１濾水チャンバーを含み、前記第１入水チャンバーは入水口と汚水排出口を有する濾過膜モジュール（１２）と、
前記濾過膜モジュール（１２）の生成水管路（１３）に設置され、前記濾過膜モジュールにより濾過された水を前記洗濯機の洗濯槽（１）内に戻して再使用するように、前記第１濾水チャンバー内の水を生成水管路（１３）内に吸引するように設置された吸引ポンプ（１４）と、
前記洗濯槽（１）と前記第１入水チャンバーの入水口との間の管路に設置され、前記洗濯槽（１）内の水を前記第１入水チャンバー内にポンピングするとともに、前記第１入水チャンバー内の水位を前記汚水排出口の下縁以下とするように設置された第１排水ポンプ（５）とを含む洗濯機。
【請求項９】
前記第１排水ポンプと並列に設置され、前記第１排水ポンプ（５）より揚程が大きく
前記洗濯機の外部に排出するように、前記洗濯槽（１）内の水を前記洗濯機の排出管路（１０）にポンピングするように設置され、
又は、前記洗濯槽（１）内の水を前記濾過膜モジュール（１２）内にポンピングして洗い流すとともに、洗い流した水を前記第１入水チャンバーの汚水排出口を介して前記洗濯機の排出管路（１０）から前記洗濯機の外部に排出するように設置された第２排水ポンプ（６）を更に含む、請求項８に記載の洗濯機。
【請求項１０】
前記濾過膜モジュール（１２）を気体洗浄するとともに、作動すると、前記第１排水ポンプ（５）が閉状態にあるように設置された気流供給装置を更に含む、請求項８又は９に記載の洗濯機。
【請求項１１】
前記濾過膜モジュール（１２）の上流管路に設置され、前記濾過膜モジュール（１２）より先に前記洗濯槽（１）内からの水を濾過するように設置されたプレフィルタ（８）を更に含み、
前記プレフィルタ（８）は前記濾過膜モジュール（１２）の下方に位置し、前記プレフィルタ（８）のストレーナは、前記プレフィルタ（８）の内部収容チャンバーを第２入水チャンバー及び前記第２入水チャンバーの上方に位置する第２濾水チャンバーに仕切り、
前記気流供給装置の吹出口は前記第２入水チャンバーに接続されている、請求項９又は１０に記載の洗濯機。
【請求項１２】
洗濯槽（１）内の濯ぎ水又は洗濯水の濁度を検出するとともに、検出された濁度が予め設定された値未満であると、前記洗濯槽（１）内の水を濾過し、検出された濁度が予め設定された値以上であると、使用後に前記洗濯槽（１）内の水を洗濯機から直接排出するように設置された濁度センサが前記洗濯槽（１）内に設置されている、請求項８〜１１のいずれか一項に記載の洗濯機。
【発明の詳細な説明】
【技術分野】
【０００１】
本出願は、洗濯機器の技術分野に関し、例えば洗濯機の制御方法及び当該制御方法を採用する洗濯機に関する。
【背景技術】
【０００２】
洗濯機により洗濯する場合、一回の洗濯手順は、一般的に給水、洗濯−脱水−排水、複数回の濯ぎ−脱水−排水等を含み、そのうち、洗濯と濯ぎはいずれも大量の清水を消費する必要がある。洗濯又は濯ぎに使用された水は、排水管を介して洗濯機から排出される。洗濯過程全体において、消費水量が比較的多く、非常に多くの水資源を浪費する。
【０００３】
洗濯汚水の浄化処理は、以下の処理方法を採用できる。
１、濯ぎ水を貯水タンク内に回収し、ストレーナにより簡単に濾過した後、再び次回の洗濯に利用する。
２、逆浸透フィルタを使用して汚水を浄化する。
３、大型水処理装置又はオゾン発生器、電気分解等の付属機器を使用して洗濯水を浄化する。
【０００４】
上記洗濯汚水を浄化処理する方法には、以下のデメリットがある。
１、貯水タンクとストレーナを追加すると、汚水内の糸屑しか簡単に除去できないため、水からの不純物が多く、水質が安定しない。
２、逆浸透フィルタを使用して汚水を浄化すると、水生成速度が遅く、水量が洗濯機の使用要求を満たすことができないとともに、処理コストも比較的高い。
３、大型水処理装置及びオゾン発生器、電気分解等の付属機器を使用すると、処理コストを大幅に増加させる。
【発明の概要】
【発明が解決しようとする課題】
【０００５】
上記課題を克服するために、水資源をリサイクルしやすいよう、濾過膜モジュールを使用して洗濯機の洗濯水及び／又は濯ぎ水を濾過処理することができる。しかし、洗濯機の洗濯回数の増加に伴い、分離物及びその他の不純物が、濾過膜・膜糸の表面に次第に蓄積するため、濾過膜・膜糸の詰まりと汚染の問題を引き起こし、濾過効果に大きく影響する。解决方法としては、水を濾過すると同時に、気体の吹き込みによって濾過膜モジュール内の水を乱すことによって、濾過膜・膜糸の詰まりを防止する。しかし、この方法は、大きな騒音を生成するため、人々の生活の質に影響を与える。
【０００６】
上記課題に鑑み、洗濯機に存在する濾過膜・膜糸が詰まりやすい課題及び洗濯機の騒音が大きい課題を解决するための、新しい洗濯機及び制御方法が必要である。
本発明の実施例は、濾過膜・膜糸の詰まりを効果的に防止できるとともに、騒音が小さい洗濯機の制御方法を提案する。
本発明の実施例は、濾過膜・膜糸の詰まりを効果的に防止できるとともに、騒音を低下させる洗濯機を更に提案する。
【課題を解決するための手段】
【０００７】
一方で、本発明の実施例は、以下の技術的手段を採用する。
洗濯機の制御方法であって、前記洗濯機は、
前記洗濯機の洗濯槽から排出された水を濾過するように設置され、仕切られた第１入水チャンバーと第１濾水チャンバーを含み、前記第１入水チャンバーが入水口と汚水排出口を有する濾過膜モジュールと、
前記濾過膜モジュールの生成水管路に設置され、前記濾過膜モジュールにより濾過された水を前記洗濯機の洗濯槽内に戻して再使用するように、前記第１濾水チャンバー内の水を生成水管路内に吸引するように設置された吸引ポンプと、
前記洗濯槽と前記第１入水チャンバーの入水口との間の管路に設置され、前記洗濯槽内の水を前記第１入水チャンバー内にポンピングするとともに、前記第１入水チャンバー内の水位を前記汚水排出口の下縁以下とするように設置された第１排水ポンプと、
前記濾過膜モジュールを気体洗浄するように設置された気流供給装置とを含み、
前記制御方法は、前記洗濯槽内の水を前記濾過膜モジュール内に流入させて濾過するように、前記気流供給装置を閉状態に設定し、前記第１排水ポンプと吸引ポンプをオンにし、吸引ポンプが、前記濾過膜モジュールにより濾過された水を前記洗濯槽内に戻して再使用するよう、前記第１濾水チャンバー内に濾過された水を前記濾過膜モジュールの生成水管路内に吸引する循環水濾過ステップを含む、洗濯機の制御方法。
【０００８】
オプションとして、前記制御方法は、第１排水ポンプをオフにし、気流供給装置をオンにし、前記気流供給装置は、前記濾過膜モジュールへ送気することによって前記濾過膜モジュールを気体洗浄し、前記第１入水チャンバー内の気体と汚水は、前記第１入水チャンバーの汚水排出口を介して排出される濾過膜モジュールの気体洗浄汚水排出ステップを更に含む。
【０００９】
オプションとして、前記洗濯機は、前記第１排水ポンプより揚程が大きく、前記第２排水ポンプは、水を前記洗濯機の外部に排出するよう、前記洗濯槽内の水を前記洗濯機の排出管路にポンピングするように設置され、又は、前記洗濯槽内の水を前記濾過膜モジュール内にポンピングして洗い流すとともに、洗い流した水を前記第１入水チャンバーの汚水排出口を介して前記洗濯機の排出管路から前記洗濯機の外部に排出するように設置された第２排水ポンプを更に含み、
前記制御方法は、第２排水ポンプをオンにし、第２排水ポンプが洗濯槽内の水を前記濾過膜モジュール内にポンピングすることによって水洗し、前記第１入水チャンバー内の汚水を前記第１入水チャンバーの汚水排出口を介して排出する濾過膜モジュールの水洗汚水排出ステップを更に含む。
【００１０】
オプションとして、前記濾過膜モジュールの水洗汚水排出ステップは前記気体洗浄汚水排出ステップと同時に行い、又は前記水洗汚水排出ステップは前記気体洗浄汚水排出ステップの後に行う。
【００１１】
オプションとして、前記洗濯機は、前記濾過膜モジュールの上流管路に設置されたプレフィルタを更に含み、前記制御方法は、前記プレフィルタの気体洗浄汚水排出ステップ及び／又は水洗汚水排出ステップを更に含む。
【００１２】
オプションとして、前記プレフィルタの気体洗浄汚水排出ステップにおいて、前記第１排水ポンプをオフにし、気流供給装置をオンにし、前記気流供給装置は、前記プレフィルタへ送気することによって前記プレフィルタを気体洗浄し、気体と気体洗浄した汚水を排出管路を介して洗濯機から排出し、
前記プレフィルタの水洗汚水排出ステップにおいて、前記第２排水ポンプをオンにし、前記第２排水ポンプは、洗濯槽内の水を前記プレフィルタにポンピングすることによって水洗し、水洗した汚水を排出管路を介して洗濯機から排出する。
【００１３】
また一方で、本発明の実施例は、以下の技術的手段を採用する。
前記洗濯機の洗濯槽から排出された水を濾過するように設置され、仕切られた第１入水チャンバーと第１濾水チャンバーを含み、前記第１入水チャンバーが入水口と汚水排出口を有する濾過膜モジュールと、
前記濾過膜モジュールの生成水管路に設置され、前記濾過膜モジュールにより濾過された水を前記洗濯機の洗濯槽内に戻して再使用するように、前記第１濾水チャンバー内の水を生成水管路内に吸引するように設置された吸引ポンプと、
前記洗濯槽と前記第１入水チャンバーの入水口との間の管路に設置され、前記洗濯槽内の水を前記第１入水チャンバー内にポンピングするとともに、前記第１入水チャンバー内の水位を前記汚水排出口の下縁以下となるように設置された第１排水ポンプと、
前記第１排水ポンプと並列に設置され、前記第１排水ポンプより揚程が大きく、
前記洗濯機の外部に排出するよう、前記洗濯槽内の水を前記洗濯機の排出管路にポンピングするように設置され、
又は、前記洗濯槽内の水を前記濾過膜モジュール内にポンピングして洗い流すとともに、洗い流した水を前記第１入水チャンバーの汚水排出口を介して前記洗濯機の排出管路から前記洗濯機の外部に排出するように設置された第２排水ポンプとを含む洗濯機。
【００１４】
オプションとして、前記洗濯機は、前記濾過膜モジュールを気体洗浄するとともに、作動すると、前記第１排水ポンプが閉状態にあるように設置された気流供給装置を更に含む。
【００１５】
オプションとして、前記洗濯機は、前記濾過膜モジュールの上流管路に設置され、前記濾過膜モジュールより先に前記洗濯槽内からの水を濾過するように設置されたプレフィルタを更に含み、
前記プレフィルタは前記濾過膜モジュールの下方に位置し、前記プレフィルタのストレーナは、前記プレフィルタの内部収容チャンバーを第２入水チャンバー及び前記第２入水チャンバーの上方に位置する第２濾水チャンバーに仕切り、
前記気流供給装置の吹出口は前記第２入水チャンバーに接続されている。
【００１６】
オプションとして、洗濯槽内の濯ぎ水又は洗濯水の濁度を検出するとともに、検出された濁度が予め設定された値未満であると、前記洗濯槽内の水を濾過し、検出された濁度が予め設定された値以上であると、使用後に前記洗濯槽内の水を洗濯機から直接排出するよう設置された濁度センサが前記洗濯槽内に設置されている。
【発明の効果】
【００１７】
本発明の実施例に係る洗濯機は、洗濯槽と濾過膜モジュールとの間に第１排水ポンプを設置し、第１排水ポンプは、洗濯槽内の水を濾過膜モジュール内にポンピングして濾過するとともに、多すぎた洗濯水・濯ぎ水の排出による洗濯水量の減少を防止するよう、濾過膜モジュールの入水チャンバー内の水位が汚水排出口の下縁以下であることを確保する。第１排水ポンプとして揚程が小さい水ポンプを使用するため、濾過中に、濾過膜モジュール内の水が絶えず動くことによって、濾過膜・膜糸の表面の汚染物が洗い流され、汚染物の蓄積程度が低下し、詰まりが効果的に防止され、騒音が低い。また、濾過膜モジュール内の水面が絶えず変動することによって、濾過膜モジュールの入水チャンバー内の汚水が汚水排出口から絶えず溢出され排出される。
【図面の簡単な説明】
【００１８】
【図１】本発明の実施例１に係る洗濯機の構成模式図である。
【発明を実施するための形態】
【００１９】
実施例１
本実施例は、図１に示すように、清水入水口、排水口及び水戻し口が設置された洗濯槽１を含む洗濯機を提供する。清水入水口に入水管２が接続され、入水管２に第１バルブ３が設置されている。排水口に排水管４が接続され、排水管４に並列に設置された第１排水ポンプ５と第２排水ポンプ６が接続され、第１排水ポンプ５と第２排水ポンプ６とは並列に接続された後第１分岐路７を介してプレフィルタ８に接続され、第２分岐路９を介して洗濯機の排出管路１０に接続され、第２分岐路９に第４バルブ１１が設置されている。プレフィルタ８の上方に管路を介して濾過膜モジュール１２が接続されている。濾過膜・膜糸は、濾過膜モジュール１２を第１入水チャンバーと第１濾水チャンバーに仕切り、第１濾水チャンバーは生成水管路１３を介して洗濯槽１の水戻し口に接続され、生成水管路１３に吸引ポンプ１４が設置され、第１入水チャンバーは入水口と汚水排出口を有し、入水口はプレフィルタ８と接続され、即ち、プレフィルタ８は濾過膜モジュール１２の上流管路に設置され、汚水排出口は汚水排出管１５を介して洗濯機の排出管路１０に接続され、汚水排出管１５に第３バルブ１６が設置されている。
【００２０】
そのうち、第１排水ポンプ５は、洗濯槽１内の水をプレフィルタ８と濾過膜モジュール１２にポンピングして濾過するように設置され、第１排水ポンプ５の取付位置は、多すぎた洗濯水・濯ぎ水の排出を防止するよう、第１入水チャンバー内の水位が汚水排出口の下縁以下であることを確保する必要がある。第１排水ポンプ５として揚程が小さい水ポンプを使用するため、濾過中に、濾過膜モジュール１２内の水が絶えず動くことによって、濾過膜・膜糸の表面の汚染物が洗い流され、汚染物の蓄積が減少し、濾過膜・膜糸の表面の詰まりが効果的に防止され、騒音が低い。また、濾過膜モジュール１２内の水面が絶えず変動することによって、第１入水チャンバー内の汚水が汚水排出口から絶えず溢出される。
【００２１】
第２排水ポンプ６の揚程は、第１排水ポンプ５の揚程より大きく、濾過膜モジュール１２の第１入水チャンバー内の水が汚水排出口に注入され、汚水排出口から排出される。
【００２２】
濾過膜モジュール１２の内部に水透過性と気密性の濾過膜・膜糸を有し、オプションとして、濾過膜モジュール１２は限外濾過膜モジュールである。濾過膜モジュール１２の濾過膜・膜糸は水透過性と気密性の特性を有するため、濾過すべき水は濾過膜モジュール１２の第１入水チャンバーに入った後に、濾過膜・膜糸を透過して第１濾水チャンバーに入り、更に吸引ポンプ１４で第１濾水チャンバー内の水（即ち生成水）を濾過膜モジュール１２の生成水管路１３内に吸引し、生成水は洗濯槽１内に戻るが、濾過すべき水内の不純物は、膜糸又は濾過膜・膜糸の表面に捕獲される。
【００２３】
プレフィルタ８のストレーナは、プレフィルタ８の内部収容チャンバーを第２入水チャンバー及び第２入水チャンバーの上方に位置する第２濾水チャンバーに仕切り、第２入水チャンバーは第１分岐路７と接続され、第２濾水チャンバーは第１入水チャンバーの入水口に接続されている。
【００２４】
オプションとして、洗濯機は、濾過膜モジュール１２及びプレフィルタ８を気体洗浄することができる気流供給装置を設置してもよい。オプションとして、気流供給装置は空気ポンプ１７を含む。オプションとして、空気ポンプ１７は第２バルブ１８を介してプレフィルタ８の第２入水チャンバーに接続されている。プレフィルタ８と濾過膜モジュール１２とは互いに連通するため、気流供給装置はプレフィルタ８と濾過膜モジュール１２への気体洗浄を実現できる。
【００２５】
また、洗濯槽１内の濯ぎ水又は洗濯水の濁度を検出する濁度センサを洗濯槽１内に設置してもよい。検出された濁度が予め設定された値未満であると、洗濯槽１内の水を濾過し、検出された濁度が予め設定された値以上であると、洗濯槽１内の水を使用したまま洗濯機から排出する。
【００２６】
実施例２
本実施例は、実施例１に記載の洗濯機を採用する洗濯機の制御方法を提供する。当該制御方法は、
第１バルブ３をオンにし、水道水が入水管２と清水入水口を介して洗濯槽１内に入ることで、洗濯機は洗濯プログラムを実行する。洗濯水の濁度が高いため、リサイクルには適しない。洗濯が完了した後に、第３バルブ１６をオフにし、第４バルブ１１をオンにし、洗濯槽１内の洗濯水を第２排水ポンプ６、第２分岐路９及び排出管路１０を介して洗濯機から排出し、その後に循環濯ぎ段階に入る、洗濯段階と、
第１バルブ３をオンにし、水道水が入水管２と清水入水口を介して洗濯槽１内に入ることで、洗濯機は濯ぎプログラムを実行する。第２排水ポンプ６と第４バルブ１１をオフにし、第３バルブ１６と第１排水ポンプ５をオンにし、洗濯槽１内の濯ぎ水が第１排水ポンプ５の作用で第１分岐路７を介してプレフィルタ８に入って濾過され、濯ぎ水が第２入水チャンバーでストレーナにより濾過された後に第２濾水チャンバー内に入り、第２濾水チャンバー内の水が濾過膜モジュール１２の第１入水チャンバー内に入り、更に濾過膜・膜糸により濾過された後に第１濾水チャンバー内に入り、吸引ポンプ１４が、第１濾水チャンバー内の水を生成水管路１３内に吸引し、更に水戻し口から洗濯槽１内に戻し、濯ぎ水の循環濾過を実現する。その循環中に、濾過膜モジュール１２の水面が絶えず変動することによって、第１入水チャンバー内の汚水が汚水排出口から絶えず溢出され排出される。また、第１排水ポンプ５として揚程が小さい水ポンプを使用するため、第１排水ポンプ５は水を汚水排出口の下縁のみにポンピングできることで、濾過中に、濾過膜モジュール１２内の水が絶えず動くことにより、濾過膜・膜糸の表面の汚染物が洗い流され、気体の吹き込みを行わずとも、汚染物の蓄積程度を低下させ、詰まりを効果的に防止する効果を達することができるため、洗濯機の騒音を低下させる、循環濯ぎ段階とを含む。
【００２７】
循環濯ぎ段階が完了した後に、濾過膜モジュール１２とプレフィルタ８を洗浄し、オプションとして、プレフィルタ８の洗浄を行った後に、濾過膜モジュール１２の洗浄を行ってもよい。濾過膜モジュール１２の洗浄は、濾過膜モジュール１２の気体洗浄汚水排出ステップと水洗汚水排出ステップを含み、プレフィルタ８の洗浄は、プレフィルタ８の気体洗浄汚水排出ステップと水洗汚水排出ステップを含む。
【００２８】
本実施例は、プレフィルタ８の気体洗浄汚水排出ステップにおいて、第１排水ポンプ５をオフにし、第４バルブ１１をオフにし、空気ポンプ１７をオンにし、空気ポンプ１７はプレフィルタ８の第２入水チャンバーへ送気して、プレフィルタ８を気体洗浄することによって、プレフィルタ８のストレーナに付着した汚染物はストレーナから離脱する。そして、第４バルブ１１をオンにし、プレフィルタ８内の汚水を第２分岐路９と排出管路１０を介して洗濯機から排出する。更に、プレフィルタ８の水洗汚水排出ステップを行い、第３バルブ１６をオフにし、第２排水ポンプ６をオンにし、第２排水ポンプ６は、プレフィルタ８を水洗するように、洗濯槽１内の水をプレフィルタ８に注入し、その後に、第２排水ポンプ６をオフにし、洗浄したプレフィルタ８の汚水を第４バルブ１１を介して洗濯機から排出するものであってもよい。
【００２９】
濾過膜モジュール１２の気体洗浄汚水排出ステップにおいて、第１排水ポンプ５をオフにし、第４バルブ１１をオフにし、第３バルブ１６をオンにし、空気ポンプ１７をオンにし、空気ポンプ１７はプレフィルタ８を介して濾過膜モジュール１２の第１入水チャンバーへ送気して、濾過膜モジュール１２を気体洗浄することによって、濾過膜・膜糸に付着した汚染物は濾過膜・膜糸から離脱し、第１入水チャンバー内の気体と汚水は汚水排出口を介して溢出される。濾過膜モジュール１２の水洗汚水排出ステップにおいて、第２排水ポンプ６をオンにし、第２排水ポンプ６は濾過膜モジュール１２内の気体洗浄した汚水を汚水排出口、汚水排出管１５及び排出管路１０を介して洗濯機から排出する。濾過膜モジュール１２は、水洗汚水排出ステップと気体洗浄汚水排出ステップを同時に行ってもよく、気体洗浄汚水排出ステップを行った後に水洗汚水排出ステップを行ってもよい。
【００３０】
また、循環濯ぎ中に、濾過膜モジュール１２とプレフィルタ８の洗浄を数回行ってもよく、循環濯ぎが完了した後に、濾過膜モジュール１２とプレフィルタ８の徹底的な洗浄を実現するよう、濾過膜モジュール１２とプレフィルタ８の洗浄を何度も繰り返すことができる。
【符号の説明】
【００３１】
１…洗濯槽、２…入水管、３…第１バルブ、４…排水管、５…第１排水ポンプ、６…第２排水ポンプ、７…第１分岐路、８…プレフィルタ、９…第２分岐路、１０…排出管路、１１…第４バルブ、１２…濾過膜モジュール、１３…生成水管路、１４…吸引ポンプ、１５…汚水排出管、１６…第３バルブ、１７…空気ポンプ、１８…第２バルブ
【図１】
0006422593.tif 000002